(57)【要約】【課題】転送者の意図しない機密データ等が転送先の表示装置に表示されてその内容が他の閲覧者に知られることを防止可能な表示システム等を提供する。【解決手段】表示システム３は、端末１０から複数人で閲覧可能な表示装置２０に転送したデータが該表示装置２０で最初に表示されるときの表示形態を、そのデータの内容が秘匿される秘匿形態（たとえば、モザイク処理した形態）にする秘匿化部５と、表示装置２０に秘匿形態で表示されたデータの表示形態を、データの内容が秘匿されない通常形態に変更するか否かの選択をユーザから受ける選択部２３と、選択されたデータの表示形態を、通常形態に変更する秘匿解除部７とを有する。【選択図】図２
2015072539.tif 000002
【特許請求の範囲】
【請求項１】
端末と、前記端末から転送されたデータを表示する複数人で閲覧可能な表示装置とを有する表示システムであって、
前記端末から前記表示装置に転送したデータが前記表示装置で最初に表示されるときの表示形態を、前記データの内容が秘匿される秘匿形態にする秘匿化部と、
前記表示装置に前記秘匿形態で表示されたデータの表示形態を、前記データの内容が秘匿されない通常形態に変更するか否かの選択をユーザから受ける選択部と、
前記選択部で前記変更することが選択されたデータの表示形態を、前記通常形態に変更する秘匿解除部と、
を有する
ことを特徴とする表示システム。
【請求項２】
前記データの秘匿の要否を判断する判断部をさらに有し、
前記秘匿化部は、前記判断部が前記データの秘匿が必要と判断した場合は、前記データが前記表示装置で最初に表示されるときの表示形態を前記秘匿形態にし、前記判断部が前記データの秘匿は不要と判断した場合は、前記データが前記表示装置に最初に表示されるときの表示形態を前記通常形態にする
ことを特徴とする請求項１に記載の表示システム。
【請求項３】
前記判断部は、前記表示装置の閲覧者が端末からデータを転送したユーザのみの場合は、前記データの秘匿は不要と判断する
ことを特徴とする請求項２に記載の表示システム。
【請求項４】
前記選択部は、前記表示装置に設けられている
ことを特徴とする請求項１乃至３のいずれか１つに記載の表示システム。
【請求項５】
前記選択部は、前記秘匿形態で前記表示装置に表示されている一のデータについての前記選択は、前記一のデータの転送元の端末のユーザのみから受け付ける
ことを特徴とする請求項１乃至４のいずれか１つに記載の表示システム。
【請求項６】
前記選択部で前記変更しないことが選択されたデータの前記秘匿形態による表示を消去する消去部をさらに有する
ことを特徴とする請求項１乃至５のいずれか１つに記載の表示システム。
【請求項７】
前記秘匿解除部は、前記秘匿形態で前記表示装置に表示されてから所定時間が経過したときに前記秘匿形態で表示されているデータについて、前記変更を行う
ことを特徴とする請求項１乃至６のいずれか１つに記載の表示システム。
【請求項８】
前記秘匿解除部は、前記秘匿形態で表示されたデータのうちの一部の範囲についてのみ前記通常形態での表示に変更する
ことを特徴とする請求項１乃至７のいずれか１つに記載の表示システム。
【請求項９】
端末から表示対象のデータを受信する受信部と、
複数人で閲覧可能な表示部と、
前記受信部が前記端末から受信したデータが前記表示部に最初に表示されるときの表示形態を、前記データの内容が秘匿される秘匿形態にする秘匿化部と、
前記表示部に前記秘匿形態で表示されたデータの表示形態を、前記データの内容が秘匿されない通常形態に変更するか否かの選択をユーザから受ける選択部と、
前記選択部で前記変更することが選択されたデータの表示形態を、前記通常形態に変更する秘匿解除部と、
を有する
ことを特徴とする表示装置。
【請求項１０】
前記データの秘匿の要否を判断する判断部をさらに有し、
前記秘匿化部は、前記判断部が前記データの秘匿が必要と判断した場合は、前記データが前記表示部に最初に表示されるときの表示形態を前記秘匿形態にし、前記判断部が前記データの秘匿は不要と判断した場合は、前記データが前記表示装置に最初に表示されるときの表示形態を前記通常形態にする
ことを特徴とする請求項９に記載の表示装置。
【請求項１１】
前記判断部は、前記表示部の閲覧者が端末からデータを転送したユーザのみの場合は、前記データの秘匿は不要と判断する
ことを特徴とする請求項１０に記載の表示装置。
【請求項１２】
前記選択部は、前記秘匿形態で前記表示部に表示されている一のデータについての前記選択は、前記一のデータの転送元の端末のユーザのみから受け付ける
ことを特徴とする請求項９乃至１１のいずれか１つに記載の表示装置。
【請求項１３】
前記選択部で前記変更しないことが選択されたデータの前記秘匿形態による表示を消去する消去部をさらに有する
ことを特徴とする請求項９乃至１２のいずれか１つに記載の表示装置。
【請求項１４】
前記秘匿解除部は、前記秘匿形態で前記表示装置に表示されてから所定時間が経過したときに前記秘匿形態で表示されているデータについて、前記変更を行う
ことを特徴とする請求項９乃至１３のいずれか１つに記載の表示装置。
【請求項１５】
前記秘匿解除部は、前記秘匿形態で表示されたデータのうちの一部範囲についてのみ前記通常形態での表示に変更する
ことを特徴とする請求項９乃至１４のいずれか１つに記載の表示装置。
【請求項１６】
端末から複数人で閲覧可能な表示装置に転送されたデータを、前記表示装置が、前記データの内容が秘匿される秘匿形態で、最初に表示する初期表示ステップと、
前記表示装置に前記秘匿形態で表示されたデータの表示形態を、前記データの内容が秘匿されない通常形態に変更するか否かの選択をユーザから受ける選択ステップと、
前記選択ステップで前記変更することが選択されたデータの表示形態を、前記通常形態に変更する秘匿解除ステップと
を有する
ことを特徴とする転送データ表示方法。
【請求項１７】
前記データの秘匿の要否を判断する判断ステップを有し、
前記初期表示ステップでは、前記判断ステップで秘匿が必要と判断された場合は前記データを前記秘匿形態で表示し、前記判断ステップで秘匿が必要ないと判断された場合は前記データを前記通常形態で表示する
ことを特徴とする請求項１６に記載の転送データ表示方法。
【請求項１８】
前記判断ステップでは、前記表示装置の閲覧者が端末からデータを転送したユーザのみの場合は、前記データの秘匿は不要と判断する
ことを特徴とする請求項１７に記載の転送データ表示方法。
【請求項１９】
前記選択は、前記表示装置に設けた選択部で受け付ける
ことを特徴とする請求項１６乃至１８のいずれか１つに記載の転送データ表示方法。
【請求項２０】
前記選択ステップにおいて、前記秘匿形態で前記表示装置に表示されている一のデータについての前記選択は、前記一のデータの転送元の端末のユーザのみから受け付ける
ことを特徴とする請求項１６乃至１９のいずれか１つに記載の転送データ表示方法。
【請求項２１】
前記選択ステップで前記変更をしないことが選択されたデータの前記秘匿形態による表示を消去する消去ステップをさらに有する
ことを特徴とする請求項１６乃至２０のいずれか１つに記載の転送データ表示方法。
【請求項２２】
前記秘匿形態で前記表示装置に表示されてから所定時間が経過したときに前記秘匿形態で表示されているデータの表示形態を前記通常形態に変更する第２の秘匿解除ステップを有する
ことを特徴とする請求項１６乃至２１のいずれか１つに記載の転送データ表示方法。
【請求項２３】
前記秘匿解除ステップでは、前記秘匿形態で表示されたデータのうちの一部範囲についてのみ前記通常形態での表示に変更する
ことを特徴とする請求項１６乃至２２のいずれか１つに記載の転送データ表示方法。
【発明の詳細な説明】
【技術分野】
【０００１】
本発明は、端末から転送されたデータを複数人で閲覧可能に表示する表示システム、表示装置および転送データ表示方法に関する。
【背景技術】
【０００２】
会議などで使用される表示システムは、複数人で閲覧可能な大画面の表示装置を備え、各ユーザの個人端末から転送されてきた画像や文字などのデータを表示装置に表示する。
【０００３】
表示装置に表示させるデータをユーザが選択する方法としては、個人端末でユーザがデータを選択し、その選択されたデータのみを個人端末から表示装置に転送して表示させる第１の方法と、個人端末から表示装置にデータを一括転送して表示させた後、該表示装置の画面上で、表示を継続させるデータあるいは消去するデータをユーザが選択する第２の方法がある。
【先行技術文献】
【特許文献】
【０００４】
【特許文献１】特開２００８−１９８０１５号公報
【発明の概要】
【発明が解決しようとする課題】
【０００５】
前述の第１の方法では、転送先の表示装置に表示させるデータを個人端末の小さな画面で確認して選択するので、その小さい１つの画面に多数のデータが表示されている場合には、各データの内容を確認し難く、データの選択ミスが生じ易い。そして、データを誤って選択して送信すると、ユーザの意図しないデータが大画面の表示装置に表示されて他の閲覧者に見られてしまう。
【０００６】
第２の方法では、大画面の表示装置上でデータの選択を行うので、選択に際してデータの内容を確認し易い。しかし、一括転送したデータがすべて大画面の表示装置に表示されるので、一括転送した中に、機密データや公開すべきでないデータが混ざっていると、これらが他の閲覧者にみられてしまう。
【０００７】
本発明は、上記の問題を解決しようとするものであり、転送者の意図しない機密データ等が転送先の表示装置に表示されてその内容が他の閲覧者に知られてしまうことを防止することのできる表示システム、表示装置および転送データ表示方法を提供することを目的としている。
【課題を解決するための手段】
【０００８】
かかる目的を達成するための本発明の要旨とするところは、次の各項の発明に存する。
【０００９】
［１］端末と、前記端末から転送されたデータを表示する複数人で閲覧可能な表示装置とを有する表示システムであって、
前記端末から前記表示装置に転送したデータが前記表示装置で最初に表示されるときの表示形態を、前記データの内容が秘匿される秘匿形態にする秘匿化部と、
前記表示装置に前記秘匿形態で表示されたデータの表示形態を、前記データの内容が秘匿されない通常形態に変更するか否かの選択をユーザから受ける選択部と、
前記選択部で前記変更することが選択されたデータの表示形態を、前記通常形態に変更する秘匿解除部と、
を有する
ことを特徴とする表示システム。
【００１０】
上記発明および下記［９］、［１６］に記載の発明では、端末から表示装置に転送したデータは、データの内容が秘匿される秘匿形態で最初に表示される。その後、秘匿形態で表示されたデータの表示形態を、データの内容が秘匿されない通常形態に変更するか否かの選択をユーザから受け付け、変更することが選択されたデータの表示形態を、通常形態に変更する。最初に秘匿形態で表示されるので、誤って転送したデータの内容が、表示装置に表示されて直ちに他人に知られてしまうことが防止される。
【００１１】
［２］前記データの秘匿の要否を判断する判断部をさらに有し、
前記秘匿化部は、前記判断部が前記データの秘匿が必要と判断した場合は、前記データが前記表示装置で最初に表示されるときの表示形態を前記秘匿形態にし、前記判断部が前記データの秘匿は不要と判断した場合は、前記データが前記表示装置に最初に表示されるときの表示形態を前記通常形態にする
ことを特徴とする［１］に記載の表示システム。
【００１２】
上記発明および下記［１０］、［１７］に記載の発明では、秘匿が必要なデータのみ選択的に秘匿化される。たとえば、表示装置を他人が閲覧しているか否か、表示装置を閲覧している人数、転送したデータの種類、表示装置を閲覧しているユーザがデータの共有を許可されたユーザか否か、などに基づいて、秘匿の要否が判断される。
【００１３】
［３］前記判断部は、前記表示装置の閲覧者が端末からデータを転送したユーザのみの場合は、前記データの秘匿は不要と判断する
ことを特徴とする［２］に記載の表示システム。
【００１４】
上記発明および下記［１１］、［１８］に記載の発明では、データを転送した端末のユーザ以外の者が表示装置を閲覧していなければ、たとえ機密データを誤って転送してこれが表示装置に表示されても、機密が漏れる心配はないので、この場合は秘匿化しない。
【００１５】
［４］前記選択部は、前記表示装置に設けられている
ことを特徴とする［１］乃至［３］のいずれか１つに記載の表示システム。
【００１６】
上記発明および下記［１９］に記載の発明では、ユーザは、表示装置に表示された秘匿形態のデータを見ながら、秘匿を解除するか否かの選択を表示装置において行うことができる。
【００１７】
［５］前記選択部は、前記秘匿形態で前記表示装置に表示されている一のデータについての前記選択は、前記一のデータの転送元の端末のユーザのみから受け付ける
ことを特徴とする［１］乃至［４］のいずれか１つに記載の表示システム。
【００１８】
上記発明および下記［１２］、［２０］に記載の発明では、データを表示装置に転送したユーザのみ、そのデータの秘匿を解除するか否かの選択を行うことができる。
【００１９】
［６］前記選択部で前記変更しないことが選択されたデータの前記秘匿形態による表示を消去する消去部をさらに有する
ことを特徴とする［１］乃至［５］のいずれか１つに記載の表示システム。
【００２０】
上記発明および下記［１３］、［２１］に記載の発明では、秘匿を解除しないデータは、表示装置に表示しておく必要がないので、消去する。
【００２１】
［７］前記秘匿解除部は、前記秘匿形態で前記表示装置に表示されてから所定時間が経過したときに前記秘匿形態で表示されているデータについて、前記変更を行う
ことを特徴とする［１］乃至［６］のいずれか１つに記載の表示システム。
【００２２】
上記発明および下記［１４］、［２２］に記載の発明では、秘匿形態で表示されてから所定時間の経過したデータは、自動的に秘匿が解除される。秘匿を解除しないデータ（消去するデータ）のみを選択すれば済むため、選択操作の負担が軽減される。
【００２３】
［８］前記秘匿解除部は、前記秘匿形態で表示されたデータのうちの一部の範囲についてのみ前記通常形態での表示に変更する
ことを特徴とする［１］乃至［７］のいずれか１つに記載の表示システム。
【００２４】
上記発明および下記［１５］、［２３］に記載の発明では、秘匿を解除する場合に、一部の範囲はそのまま秘匿を維持し、他の一部の範囲は秘匿を解除する。たとえば、人物が写っている写真において人物を特定する必要がなく、その場所がわかればよいような画像の場合に、人物の顔の部分の秘匿を維持したまま他の部分の秘匿を解除する、といったことが可能になる。
【００２５】
［９］端末から表示対象のデータを受信する受信部と、
複数人で閲覧可能な表示部と、
前記受信部が前記端末から受信したデータが前記表示部に最初に表示されるときの表示形態を、前記データの内容が秘匿される秘匿形態にする秘匿化部と、
前記表示部に前記秘匿形態で表示されたデータの表示形態を、前記データの内容が秘匿されない通常形態に変更するか否かの選択をユーザから受ける選択部と、
前記選択部で前記変更することが選択されたデータの表示形態を、前記通常形態に変更する秘匿解除部と、
を有する
ことを特徴とする表示装置。
【００２６】
［１０］前記データの秘匿の要否を判断する判断部をさらに有し、
前記秘匿化部は、前記判断部が前記データの秘匿が必要と判断した場合は、前記データが前記表示部に最初に表示されるときの表示形態を前記秘匿形態にし、前記判断部が前記データの秘匿は不要と判断した場合は、前記データが前記表示装置に最初に表示されるときの表示形態を前記通常形態にする
ことを特徴とする［９］に記載の表示装置。
【００２７】
［１１］前記判断部は、前記表示部の閲覧者が端末からデータを転送したユーザのみの場合は、前記データの秘匿は不要と判断する
ことを特徴とする［１０］に記載の表示装置。
【００２８】
［１２］前記選択部は、前記秘匿形態で前記表示部に表示されている一のデータについての前記選択は、前記一のデータの転送元の端末のユーザのみから受け付ける
ことを特徴とする［９］乃至［１１］のいずれか１つに記載の表示装置。
【００２９】
［１３］前記選択部で前記変更しないことが選択されたデータの前記秘匿形態による表示を消去する消去部をさらに有する
ことを特徴とする［９］乃至［１２］のいずれか１つに記載の表示装置。
【００３０】
［１４］前記秘匿解除部は、前記秘匿形態で前記表示装置に表示されてから所定時間が経過したときに前記秘匿形態で表示されているデータについて、前記変更を行う
ことを特徴とする［９］乃至［１３］のいずれか１つに記載の表示装置。
【００３１】
［１５］前記秘匿解除部は、前記秘匿形態で表示されたデータのうちの一部範囲についてのみ前記通常形態での表示に変更する
ことを特徴とする［９］乃至［１４］のいずれか１つに記載の表示装置。
【００３２】
［１６］端末から複数人で閲覧可能な表示装置に転送されたデータを、前記表示装置が、前記データの内容が秘匿される秘匿形態で、最初に表示する初期表示ステップと、
前記表示装置に前記秘匿形態で表示されたデータの表示形態を、前記データの内容が秘匿されない通常形態に変更するか否かの選択をユーザから受ける選択ステップと、
前記選択ステップで前記変更することが選択されたデータの表示形態を、前記通常形態に変更する秘匿解除ステップと
を有する
ことを特徴とする転送データ表示方法。
【００３３】
［１７］前記データの秘匿の要否を判断する判断ステップを有し、
前記初期表示ステップでは、前記判断ステップで秘匿が必要と判断された場合は前記データを前記秘匿形態で表示し、前記判断ステップで秘匿が必要ないと判断された場合は前記データを前記通常形態で表示する
ことを特徴とする［１６］に記載の転送データ表示方法。
【００３４】
［１８］前記判断ステップでは、前記表示装置の閲覧者が端末からデータを転送したユーザのみの場合は、前記データの秘匿は不要と判断する
ことを特徴とする［１７］に記載の転送データ表示方法。
【００３５】
［１９］前記選択は、前記表示装置に設けた選択部で受け付ける
ことを特徴とする［１６］乃至［１８］のいずれか１つに記載の転送データ表示方法。
【００３６】
［２０］前記選択ステップにおいて、前記秘匿形態で前記表示装置に表示されている一のデータについての前記選択は、前記一のデータの転送元の端末のユーザのみから受け付ける
ことを特徴とする［１６］乃至［１９］のいずれか１つに記載の転送データ表示方法。
【００３７】
［２１］前記選択ステップで前記変更をしないことが選択されたデータの前記秘匿形態による表示を消去する消去ステップをさらに有する
ことを特徴とする［１６］乃至［２０］のいずれか１つに記載の転送データ表示方法。
【００３８】
［２２］前記秘匿形態で前記表示装置に表示されてから所定時間が経過したときに前記秘匿形態で表示されているデータの表示形態を前記通常形態に変更する第２の秘匿解除ステップを有する
ことを特徴とする［１６］乃至［２１］のいずれか１つに記載の転送データ表示方法。
【００３９】
［２３］前記秘匿解除ステップでは、前記秘匿形態で表示されたデータのうちの一部範囲についてのみ前記通常形態での表示に変更する
ことを特徴とする［１６］乃至［２２］のいずれか１つに記載の転送データ表示方法。
【発明の効果】
【００４０】
本発明に係る表示システム、表示装置、転送データ表示方法によれば、転送者の意図しない機密データ等が転送先の表示装置に表示されてその内容が他の閲覧者に知られることが防止される。
【図面の簡単な説明】
【００４１】
【図１】本発明の実施の形態に係る表示システムの概略の外観例を示す図である。
【図２】本発明の実施の形態に係る表示システムの概略構成を示すブロック図である。
【図３】第１の実装形式の表示システムの構成および概略の動作の流れを示す図である。
【図４】第１の実装形式の表示システムの概略の動作シーケンスを示す図である。
【図５】秘匿化処理（図３のステップＳ２０２およびＳ２０３の部分）の一例を示す流れ図である。
【図６】第１の実装形式の表示システムにおける秘匿解除処理（図３のステップＳ２０５、Ｓ２０６の部分）の詳細を示す流れ図である。
【図７】第２の実装形式の表示システムの構成および概略の動作の流れを示す図である。
【図８】第２の実装形式の表示システムの概略の動作シーケンスを示す図である。
【図９】第２の実装形式の表示システムにおける秘匿解除処理（図７のステップＳ１５５〜Ｓ１５７の部分）の詳細を示す流れ図である。
【発明を実施するための形態】
【００４２】
以下、図面に基づき本発明の実施の形態を説明する。
【００４３】
図１は、本発明に係る表示システム３の構成例を示している。表示システム３は、たとえば、会議において使用されるものであり、会議の参加者の各自が使用する携帯端末１０と、会議の参加者が共通に閲覧する表示装置２０を備えて構成される。表示装置２０としては、たとえば、大型のディスプレイやプロジェクタなどが使用される。
【００４４】
携帯端末１０から画像や文字、手書きメモなどのデータを表示装置２０に対して転送すると、そのデータの示す画像や文字、手書きメモが表示装置２０に大きく表示される。
【００４５】
表示システム３では、携帯端末１０から表示装置２０に対して転送したデータを表示装置２０に最初に表示するとき、他人が見てもその内容が分からないように秘匿化した形態である秘匿形態で表示する。たとえば、秘匿形態は、文字や画像に対して、ぼかし、モザイク、低解像化、一部を塗りつぶすなどの不明瞭化処理、あるいは、アイコン化や名称表示などによる概略化処理、一部のみを切り取って表示する処理、などを施した、他人が見ても内容が分からないようにした表示形態である。ただし、携帯端末１０からデータを転送した本人には、内容を識別できる程度の秘匿化がなされる。
【００４６】
その後、携帯端末１０から表示装置２０に対してデータを転送したユーザは、表示装置２０に秘匿形態で表示されたデータを見て、そのデータの秘匿化を解除してよいか否か、すなわち、表示装置２０の近くにいる他の閲覧者に見られてもよいか否か、を判断し、秘匿を解除するか否かの選択をデータ毎に行う。秘匿解除の選択を受けた場合、秘匿形態で表示されているデータの表示形態を、そのデータの内容が秘匿されない通常形態に変更する。たとえば、秘匿化処理を施す前の画像や文字などのデータをそのまま表示する。
【００４７】
図２は、表示システム３の概略構成を示すブロック図である。携帯端末１０は、制御部１１と、表示部１２と、データ保存部１３と、操作入力部１４と、通信部１５を備えて構成される。携帯端末１０の動作を統括制御する制御部１１は、ＣＰＵ（Central Processing Unit）、ＦｌａｓｈＲＯＭ（Read Only Memory）、ＲＡＭ（Random Access Memory）などを主要部として構成される。ＦｌａｓｈＲＯＭに格納されているプログラムに従ってＣＰＵが動作することで携帯端末１０としての機能が実現される。
【００４８】
表示部１２は液晶ディスプレイなどで構成される。操作入力部１４は、表示部１２の画面上に設けられ、画面上でのペンなどの接触位置を検出するタッチパネルのほか、各種の操作スイッチで構成される。携帯端末１０は、操作入力部１４のタッチパネルを通じてユーザから手書き文字などの入力を受ける。
【００４９】
データ保存部１３は、手書き入力された内容や図形、画像などを保存する。通信部１５は、無線通信により表示装置２０やネットワークに接続された他の機器と通信する機能を果たす。たとえば、ユーザの選択したデータを、通信部１５により、表示装置２０へ送信する。
【００５０】
表示装置２０は、制御部２１と、表示部２２と、選択部２３と、通信部２４を備えて構成される。制御部２１は表示装置２０の動作を統括制御する機能を果たし、ＣＰＵ、ＦｌａｓｈＲＯＭ、ＲＡＭなどを主要部として構成される。ＦｌａｓｈＲＯＭに格納されているプログラムに従ってＣＰＵが動作することで、表示装置２０としての機能が実現される。
【００５１】
表示部２２は、複数人で閲覧可能であって、たとえば、大型の液晶ディスプレイやプロジェクタなどで構成される。表示部２２の画面は表示部１２より大きい。選択部２３は、表示部２２の画面上に設けられて、画面上での指などの接触位置を検出するタッチパネルのほか、各種の操作スイッチで構成される。表示装置２０は、秘匿形態で表示しているデータを、通常形態の表示に変更するか否かの選択を、選択部２３を通じてユーザから受ける。
【００５２】
なお、各データについての上記の選択は、そのデータの送信者（転送者）のみから受け付ける。たとえば、携帯端末１０は、表示装置２０へ転送する各データに該携帯端末１０のユーザを示す識別情報を付加して送信する。表示装置２０は、秘匿形態で表示しているデータに対して、秘匿を解除するか否かの選択を受ける際に、ユーザの識別情報とパスワードの入力を要求し、これらがそのデータの送信者の識別情報およびパスワードと一致した場合にのみ、そのデータに対する選択操作を受け付ける。識別情報とパスワードの入力に代えて、たとえば、ユーザの識別情報を送信するＩＣカードから該当のユーザの識別情報を受信している場合に選択を許可するといった方法でもよい。
【００５３】
表示システム３は、さらに、データを秘匿化する秘匿化部５と、秘匿の要否を判断する判断部６と、秘匿形態で表示されているデータの表示形態を通常形態に変更する秘匿解除部７の機能を備えている。
【００５４】
秘匿化部５は、データを前述したような秘匿形態で表示するための表示データを作成する。
【００５５】
判断部６は、予め定めた秘匿化ルールに従って秘匿の要否を判断する。秘匿化ルールとしては以下のようなものが適用可能である。
（１）閲覧人数や閲覧者
携帯端末１０と表示装置２０が近くにある場合に、表示装置２０を閲覧している人が一人の場合、つまり、表示装置２０の近くに居る人が携帯端末１０の使用者のみの場合は、他人に閲覧されないので、秘匿は不要と判断し、表示装置２０の近くに複数の人が居る場合は秘匿が必要と判断する。あるいは、閲覧者が端末からデータを転送したユーザのみの場合は、秘匿は不要と判断する。
【００５６】
（２）画像分析
画像の内容に応じて秘匿の要否を判断する。たとえば、データが画像の場合にその内容を解析し、風景の画像であれば秘匿せず、人物の画像であれば秘匿化する。
【００５７】
（３）データの付随情報（タグ情報）
データに付随する情報に基づいて秘匿の要否を判断する。たとえば、ユーザがデータに秘匿化レベルを示すタグを付加している場合は、そのタグの示す秘匿化レベルが閾値以上ならば秘匿化し、閾値未満ならば秘匿化しない。プライベート用、業務用などで秘匿化レベルが設定される。
【００５８】
上記のタグ付けは、ユーザが自分で行ってもよいし、ＰＣ（パーソナルコンピュータ）や携帯端末１０でデータを保存する時に装置が自動的に行うようにしてもよい。また、ＭＤＭ（Mobile Device Management）の管理か否かによってタグ付けする。あるいはファイルの拡張子により、秘匿化するか否かを判断してもよい。たとえば、拡張子が「ｐｐｔ」のファイルは秘匿化すると判断する。
【００５９】
（４）スケジューラと連動
スケジューラによって会議などのイベントやその参加者を把握し、転送するデータを共有することが許可されている参加者のみが参加するイベントか否かに応じて秘匿化を判断する。詳細には、以下の(4-1)(4-2)がある。
【００６０】
(4-1)ユーザが会議などのイベントや参加者、の秘匿化レベルを予め設定する。
たとえば、スケジューラで以下のような設定を行うと、ネットワークを介して表示システム３のソフトウェアと連動し、その時間で行われる会議などのイベントや作業の秘匿化レベルを読み込み、それに応じた秘匿化ルールで秘匿化が行われる。
・会議の秘匿化レベル、情報共有度、重要度などの設定
秘匿化レベル０：秘匿化処理なし。たとえば、同じ部署の同じチームの定例会などの場合に秘匿化レベル０にされる。
秘匿化レベル１：個人を特定できるような秘匿化が施される。たとえば、社内タスクフォースなどが該当する。
秘匿化レベル２：全面に秘匿化が施される。社外の人との打ち合わせなどが該当する。
・メーラーと連動したスケジューラの場合、連絡先リストから予め個々人単位、もしくは所属グループ単位で秘匿化レベルを設定しておく。
【００６１】
(4-2)過去の共有実績から判断する。
スケジューラと連動している表示システム３のソフトウェアが、会議や作業の記録として、スケジューラの情報、例えば参加者、参加者の所属しているグループ、会議の名称などとともに、共有化した際の処理内容を記録する。そして、別の会議や作業がスケジューラに予定されたとき、過去の情報を元に、総合的に判断して秘匿化ルールを自動的に設定する。
【００６２】
秘匿解除部７は、秘匿形態で表示されているデータの表示形態の全部または一部を、内容が秘匿されない形態に変更する処理を行う。たとえば、画像の撮影された場所の全体の雰囲気が分かればよく、映っている個人は特定されないように画像を共有したい場合には、人物の顔の部分は秘匿化された状態のまま保持し、他の部分のみ秘匿化を解除する。
【００６３】
全範囲について秘匿を解除するか、一部の範囲のみ解除するかのルール（秘匿解除ルール）についても予め設定することができる。上記のように画像解析によって解除範囲を行うか否かおよびその解除条件の詳細を示す秘匿解除ルール、写真領域は秘匿を解除し文字領域は秘匿を解除しないとする秘匿解除ルール、名前や特定の文字列は秘匿を維持し他の文字は秘匿を解除するとする秘匿解除ルールなど、任意のルールを設定すれば、その設定にしたがって秘匿が解除される。
【００６４】
表示システム３において、秘匿化部５、判断部６、秘匿解除部７は、携帯端末１０に設けられてもよいし、表示装置２０に設けられてもよいし、携帯端末１０と表示装置２０に分散して設けられてもよく、様々な実装形式がある。
【００６５】
以下、２つの代表的な実装形式について具体的に説明する。
【００６６】
＜第１の実装形式＞
図３は、本発明の表示システム３の第１の実装形式における構成および概略の動作の流れを示している。図３では、秘匿化部５、判断部６、秘匿解除部７、選択部２３についてのみ記載してあり、他の部分は図２の構成に従うものとする。
【００６７】
第１の実装形式では、秘匿化部５、判断部６、秘匿解除部７、選択部２３はすべて表示装置２０が具備している。したがって、表示装置２０において、データを秘匿化するか否かの判断、データの秘匿化処理、秘匿を解除するか否かの選択の受け付け、秘匿を解除する処理が行われる。
【００６８】
第１の実装形式における表示システム３の動作の流れを、図３の下部に示す概略シーケンス図、および図４に従って説明する。
【００６９】
携帯端末１０は、ユーザから１または複数の転送対象のデータの選択操作および転送指示を受けると（図３：ステップＳ１０１）、転送対象に選択されたデータを表示装置２０へ送信する（図３：ステップＳ１０２、図４：Ｐ１）。
【００７０】
表示装置２０は、携帯端末１０からデータを受信すると（図３：ステップＳ２０１）、秘匿化ルールに基づきそれぞれのデータについて秘匿化するか否かを判断する（図３：ステップＳ２０２）。そして、秘匿化すると判断した場合はデータに対して秘匿化処理を行い（図３：ステップＳ２０３）、そのデータを秘匿形態で表示装置２０の表示部２２に表示する（図３：ステップＳ２０４、図４：Ｐ２）。秘匿化不要と判断したデータはその内容が秘匿されない通常形態で表示する。
【００７１】
その後、表示装置２０は、秘匿形態で表示している各データについて、その秘匿を解除するか否かの選択、すなわち、秘匿形態で表示しているデータの表示形態を通常形態に変更するか否かの選択をユーザから受ける（図３：ステップＳ２０５、図４：Ｐ３）。
【００７２】
そして、この選択結果に従って、秘匿の解除処理を行い（図３：ステップＳ２０６）、表示を更新する（図３：ステップＳ２０７）。ここでは、秘匿形態で表示を開始してから所定時間内に、秘匿を解除しない選択を受けたデータについては、そのデータの表示、すなわち、秘匿形態での表示を消去する（図４：Ｐ４）。一方、秘匿形態での表示を開始してから所定時間が経過した時点で秘匿を解除しない選択をまだ受けていないデータについては、秘匿を解除して、通常形態の表示に変更する（図４：Ｐ５）。
【００７３】
このように、携帯端末１０から表示装置２０へ転送したデータは、秘匿の要否が判断され、秘匿が必要と判断されたデータについては、最初、秘匿形態で表示されるので、秘匿にすべきデータを誤って送信した場合でも、直ちに他人にその内容が知られてしまうことが防止される。また、秘匿形態であっても、データの転送者にはそのデータの内容がわかる（推測できる）ように秘匿化されているので、データの送信者は秘匿形態で表示されたデータを見て、秘匿を解除してよいか否かを判断し、秘匿を解除するか否かの選択を行うことができる。
【００７４】
ここで、携帯端末１０の使用者は、もともと複数人で閲覧する表示装置２０に表示するつもりでデータを選択しているので、転送したデータのほとんどは秘匿を解除してよいものであり、誤って転送した極少数のものだけが秘匿を解除すべきでないデータと想定される。そこで、表示システム３では、秘匿を解除しないデータについてのみ選択の操作を受けて消去し、秘匿を解除するデータについては、選択の操作を受けることなく、表示開始から一定時間の経過後に自動的に秘匿を解除する。これにより、ユーザは、誤って送信した極少数のデータのみを選択すれば済み、選択に係るユーザの操作負担が軽減される。
【００７５】
第１の実装形式では、秘匿化の判断、秘匿化、秘匿化の解除など、情報の秘匿に関連する処理をすべて表示装置２０側で行うので、携帯端末１０は汎用のものでよい。また、秘匿の解除に関する選択操作を表示装置２０にて受けるので、ユーザは、携帯端末１０より大きい画面の表示装置２０に大きく表示されたデータを見ながら、秘匿を解除するか否かの選択を行うことができる。
【００７６】
また、表示装置２０は携帯端末１０から受信した秘匿化前の状態のデータを保持しておけば、容易に秘匿を解除することができる。そして、表示装置２０は、秘匿の解除を自装置内の処理のみで行うことができるので、秘匿解除のために改めてデータを携帯端末１０から受信する必要がなく、携帯端末１０と表示装置２０との間の通信量が増加しないという利点がある。
【００７７】
図５は、図３のステップＳ２０２およびＳ２０３の部分の処理の詳細の一例を示している。
【００７８】
秘匿化ルールのチェック項目として、閲覧人数が設定されているか否かを確認する（ステップＳ３０１）。閲覧人数に関する秘匿化ルールが設定されている場合は（ステップＳ３０１；Ｙｅｓ）、表示装置２０の閲覧人数を検出する（ステップＳ３０２）。たとえば、表示装置２０にカメラやセンサーを設けて、閲覧人数を確認する、あるいは、スケジューラと連動して、表示装置２０を現在使用中のイベント（会議など）の参加者に関する情報などから閲覧人数を確認する。
【００７９】
閲覧人数が２以上の場合は（ステップＳ３０３；Ｙｅｓ）、ステップＳ３０４へ移行する。閲覧人数が１の場合は（ステップＳ３０３；Ｎｏ）、その一人の閲覧者は、今回のデータを携帯端末１０から送信した送信者と推定して、秘匿の必要なしと判断し、秘匿化処理を行わずに、本処理を終了する。なお、閲覧者数が１の場合に、さらにその閲覧者が今回のデータの転送者か否かを確認し、転送者の場合のみ、秘匿化の必要なしと判断するように構成されてもよい。
【００８０】
ステップＳ３０４では、データのタグ情報が秘匿化ルールのチェック項目に設定されているか否かを確認する。データのタグ情報が秘匿化ルールのチェック項目に設定されていなければ（ステップＳ３０４；Ｎｏ）、ステップＳ３０７へ移行する。データのタグ情報が秘匿化ルールのチェック項目に設定されている場合は（ステップＳ３０４；Ｙｅｓ）、データに付随しているタグ等の内容を確認する（ステップＳ３０５）。たとえば、タグに含まれる秘匿化レベルを示す情報、ファイルの拡張子などから秘匿の要否を判断する。
【００８１】
秘匿が必要と判断した場合は（ステップＳ３０６；Ｙｅｓ）、ステップＳ３０７へ移行する。秘匿が必要でないと判断した場合は（ステップＳ３０６；Ｎｏ）、秘匿化処理を行わずに、本処理を終了する。
【００８２】
ステップＳ３０７では、スケジューラと連動して判断することが秘匿化ルールのチェック項目に設定されているか否かを確認する。スケジューラと連動することが秘匿化ルールのチェック項目に設定されていなければ（ステップＳ３０７；Ｎｏ）、ステップＳ３１０へ移行する。
【００８３】
スケジューラと連動することが秘匿化ルールのチェック項目に設定されている場合は（ステップＳ３０７；Ｙｅｓ）、スケジューラをチェックし（ステップＳ３０８）、今回のデータが使用されるイベント（会議など）の参加者の情報や会議そのものに設定されている秘匿化レベルの情報から、秘匿の要否を判断する。秘匿が必要ならば（ステップＳ３０９；Ｙｅｓ）、ステップＳ３１０へ移行する。秘匿が必要でなければ（ステップＳ３０９；Ｎｏ）、秘匿化処理を行わずに、本処理を終了する。
【００８４】
ステップＳ３１０では該当のデータに対して秘匿化処理を行い、その後、本処理を終了する。ステップＳ３１０では、たとえば、データの内容が秘匿される秘匿形態の表示データを生成する。
【００８５】
なお、秘匿化ルールのチェック項目は図５に示したものに限定されず、その数や内容は任意でよい。
【００８６】
図６は、図３のステップＳ２０５、Ｓ２０６の部分の処理の詳細を示している。この処理は、一のデータ（対象のデータとする）を秘匿形態で表示したとき、その一のデータについて行われる。対象のデータについて秘匿形態での表示を開始してから一定時間内に、該データに対して消去の選択操作を受けたか否かをチェックする（ステップＳ４０１、Ｓ４０３）。なお、「消去の選択」は「秘匿を解除しない旨の選択」と同義とする。
【００８７】
消去の選択を受けた場合は（ステップＳ４０１；Ｙｅｓ）、対象のデータの秘匿形態での表示を消去して（ステップＳ４０２）、本処理を終了する。
【００８８】
対象のデータを秘匿形態で表示し始めてから消去の選択を受けずに一定時間が経過したときは（ステップＳ４０３；Ｙｅｓ）、秘匿解除ルールを参照して（ステップＳ４０４）、対象のデータの全範囲について秘匿化を解除するか、一部の範囲についてのみ秘匿化を解除するかを判断する。
【００８９】
全範囲について秘匿化を解除する場合は（ステップＳ４０５；Ｙｅｓ）、対象のデータの全範囲について秘匿化を解除し、該対象のデータの表示形態を通常形態に変更して（ステップＳ４０６）、本処理を終了する。具体的には、対象のデータの秘匿形態での表示を削除し、対象のデータの全範囲の秘匿を解除した通常形態での表示データを作成し、該表示データを表示部２２に表示する。
【００９０】
一部の範囲についてのみ秘匿化を解除する場合は（ステップＳ４０５；Ｎｏ）、対象のデータの秘匿形態での表示を、該当する一部の範囲の秘匿を解除した形態の表示に変更して（ステップＳ４０７）、本処理を終了する。具体的には、対象のデータの秘匿形態での表示を削除し、設定されている秘匿解除ルールに従って一部の範囲の秘匿を解除した表示データを生成し、該表示データを表示部２２に表示する。
【００９１】
＜第２の実装形式＞
図７は、本発明の表示システム３の第２の実装形式の構成および動作の概略の流れを示している。図７では、秘匿化部５、判断部６、秘匿解除部７、選択部２３についてのみ記載してあり、他の部分は図２の構成に従うものとする。
【００９２】
第２の実装形式では、秘匿化部５、判断部６、秘匿解除部７は携帯端末１０が具備し、表示装置２０は選択部２３を具備している。
【００９３】
第２の実装形式における表示システム３の動作の流れを、図７の下部の概略シーケンス図、および図８に従って説明する。
【００９４】
携帯端末１０は、ユーザから転送対象の１または複数のデータの選択操作および転送指示を受けると（図７：ステップＳ１５１）、秘匿化ルールに基づいてそのデータを秘匿化するか否かを判断する（図７：ステップＳ１５２）。そして、秘匿化すると判断した場合は、そのデータに対して秘匿化処理を行って秘匿形態の表示データを生成し（図７：ステップＳ１５３）、該秘匿形態の表示データを表示装置２０に対して送信する（図７：ステップＳ１５４、図８：Ｐ２１）。
【００９５】
表示装置２０は、携帯端末１０から表示データを受信すると（図７：ステップＳ２５１）、その表示データを表示装置２０の表示部２２に表示する（図７：ステップＳ２５２、図８：Ｐ２２）。これにより、秘匿形態でデータの初期表示が行われる。
【００９６】
その後、表示装置２０は、秘匿形態で表示しているデータの秘匿を解除するか否かの選択、すなわち、秘匿形態で表示しているデータの表示形態を通常形態に変更するか否かの選択をユーザから受ける（図７：ステップＳ２５３、図８：Ｐ２３）。そして、この選択の結果を携帯端末１０に対して送信する（図８：Ｐ２４）。
【００９７】
携帯端末１０は、表示装置２０から上記の選択結果を受信し（ステップＳ１５５）、該受信した選択結果に従って、秘匿解除ルールに対応した解除処理を行い、全部もしくは一部の秘匿を解除した形態の表示データを生成する（ステップＳ１５６）。そして、秘匿形態での表示を消去する指示と共に、秘匿を解除した形態の表示データを表示装置２０に送信する（ステップＳ１５７）。
【００９８】
詳細には、表示装置２０は、図７のステップＳ２５２、図８のＰ２３において、秘匿形態で表示中の任意のデータについて消去の選択（秘匿を解除しない選択）を受け付け、消去の選択を受けた旨および該選択を受けたデータを特定する情報を携帯端末１０に対して送信する（図８：Ｐ２４）。これを受けた携帯端末１０は、そのデータの秘匿形態による表示を消去する指示を表示装置２０に対して送信し（図８：Ｐ２５）、これを受けた表示装置２０は秘匿形態で表示中の該当データの表示を削除する（図８：Ｐ２６）。
【００９９】
携帯端末１０は、秘匿形態で表示を開始してから一定時間が経過するまでに表示装置２０から消去の選択が行われたことを示す通知（図８：Ｐ２４）を受信していないデータについて、該一定時間が経過したとき、表示の更新指示を送信する（図８：Ｐ２７）。すなわち、携帯端末１０は、秘匿を解除した表示データを作成し（図７：ステップＳ１５６）、秘匿形態での表示を該表示データに基づく表示に更新する指示および該表示データを表示装置２０に対して送信し（図７：ステップＳ１５７、図８：Ｐ２７）、表示装置２０は携帯端末１０から受信した更新指示および表示データに従って表示を更新する（図７：ステップＳ２５４、Ｓ２５５、図８：Ｐ２８）。
【０１００】
このように第２の実装形式においても、携帯端末１０から表示装置２０にデータを転送して表示させる際に、秘匿の要否を判断し、秘匿が必要と判断したデータについては、最初、秘匿形態で表示するので、秘匿にすべきデータを誤って送信した場合でも、直ちに他人にその内容が知られてしまうことが防止される。また、秘匿形態であっても、データの転送者にはそのデータの内容がわかる（推測できる）ように秘匿化されているので、データの送信者は秘匿形態で表示されたデータを見て、秘匿を解除してよいか否かを判断し、秘匿を解除するか否かの選択を行うことができる。
【０１０１】
また、秘匿の解除に関する選択の操作を表示装置２０にて受けるので、ユーザは、携帯端末１０より大きい画面の表示装置２０に大きく表示されたデータを見ながら、秘匿を解除するか否かの選択を行うことができる。
【０１０２】
第２の実装形式では、秘匿化の判断、秘匿化、秘匿化の解除などの処理を携帯端末１０側で行うので、表示装置２０での処理負担を少なくすることができる。また、携帯端末１０は、秘匿化前のデータを保持しているので、そのデータから秘匿を解除したデータを容易に生成することができる。特に、全範囲の秘匿を解除する場合は、元のデータをそのまま、秘匿を解除したデータとすることができる。
【０１０３】
秘匿化に関する詳細な処理の内容は、図５に示したものと同様でありその説明は省略する。
【０１０４】
図９は、図７のステップＳ１５５〜Ｓ１５７の部分の処理の詳細を示している。この処理は、一のデータ（対象のデータとする）を秘匿形態で表示したとき、その一のデータについて行われる。対象のデータについて秘匿形態での表示を開始してから一定時間内に、該データに対して消去の選択操作を受けたか否かをチェックする（ステップＳ５０１、Ｓ５０３）。なお、「消去の選択」は「秘匿を解除しない旨の選択」と同義とする。
【０１０５】
消去の選択を受けた場合は（ステップＳ５０１；Ｙｅｓ）、対象のデータの秘匿形態での表示を消去する指示を表示装置２０に送信して（ステップＳ５０２）、本処理を終了する。
【０１０６】
対象のデータを秘匿形態で表示し始めてから消去の選択を受けずに一定時間が経過したときは（ステップＳ５０３；Ｙｅｓ）、秘匿解除ルールを参照して（ステップＳ５０４）、対象のデータの全範囲について秘匿化を解除するか、一部の範囲についてのみ秘匿化を解除するかを判断する。
【０１０７】
全範囲について秘匿化を解除する場合は（ステップＳ５０５；Ｙｅｓ）、対象のデータの全範囲について秘匿化を解除した表示データを作成し（ステップＳ５０６）、秘匿形態での表示を、該表示データに基づく表示に更新する指示および該表示データを表示装置２０に対して送信して（ステップＳ５０８）、本処理を終了する。
【０１０８】
一部の範囲についてのみ秘匿化を解除する場合は（ステップＳ５０５；Ｎｏ）、設定されている秘匿解除ルールに従って対象のデータの一部の範囲についてのみ秘匿化を解除した表示データを作成し（ステップＳ５０７）、秘匿形態での表示を、該表示データに基づく表示に更新する指示および該表示データを表示装置２０に対して送信して（ステップＳ５０８）、本処理を終了する。
【０１０９】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１１０】
実施の形態では、第１の実装形式と第２の実装形式を例示したが、秘匿化部５、判断部６、秘匿解除部７、選択部２３の配置はこれに限定されるものではない。たとえば、秘匿化部５、判断部６、秘匿解除部７、選択部２３の機能をすべて携帯端末１０が具備するように構成されてもよい。この場合、ユーザは、表示装置２０に秘匿形態で表示された各データを見て、誤って送信したデータが存在するか否かを確認し、誤って送信したデータがある場合には、そのデータを携帯端末１０で選択する。携帯端末１０は、その選択されたデータの消去指示を表示装置２０に送信する、といった構成にすればよい。
【０１１１】
あるいは、携帯端末１０にカメラを設け、該カメラで表示装置２０を撮影した映像をリアルタイムで携帯端末１０の表示部１２に表示し、携帯端末１０の表示部１２に表示された表示装置２０の映像の中で、秘匿を解除するデータあるいは解除しないデータの選択を受けるように構成されてもよい。この場合、秘匿の解除においては、秘匿を解除した形態の表示データを携帯端末１０から表示装置２０に送信すればよい。この構成では、秘匿化部５、判断部６、秘匿解除部７、選択部２３の機能が携帯端末１０側にすべて集約されるので、表示装置２０は汎用の表示装置でよい。
【０１１２】
また、携帯端末１０に秘匿化部５と判断部６を設け、表示装置２０に秘匿解除部７と選択部２３を備えるような構成でもよい。たとえば、携帯端末１０から表示装置２０へ秘匿形態の表示データを送信する際に、通常形態の表示データも同時に送信しておき、表示装置２０の秘匿解除部７は、携帯端末１０から受信して保持している通常形態の表示データを使用して秘匿を解除する、といった構成にできる。
【０１１３】
実施の形態では、携帯端末１０と表示装置２０が近くにある場合を例に説明したが、携帯端末１０の近くと遠隔地のそれぞれに表示装置２０を設け、これらに同じ画面が表示されるといったシステム構成でもかまわない。
【０１１４】
たとえば、大阪の会議室と東京の会議室とをネットワークで結んで会議をする場合などにも本発明は適用される。すなわち、大阪の会議室にいるユーザが自己の携帯端末１０から大阪の会議室の表示装置２０に対してデータを転送すると、大阪と東京の会議室の各表示装置２０にそのデータが最初は秘匿形態で表示される。その後、大阪の会議室の表示装置２０にてユーザが秘匿の解除を選択すると、この選択結果にしたがって、大阪と東京の会議室の各表示装置２０において表示の更新が行われる。この構成では、閲覧人数に関する秘匿化ルールが設定されている場合、大阪、東京のいずれかの会議室にデータを共有することが禁止されたユーザが一人でもいれば、秘匿が必要と判断して、最初の表示を秘匿形態で行うようにすればよい。
【０１１５】
実施の形態では、秘匿形態で表示してから一定時間が経過しても秘匿を解除しない選択を受けないデータの表示を自動的に消去するようにしたが、たとえば、秘匿を解除しないデータの選択が終了したことを示す終了操作をユーザから受けるようにし、該終了操作を受けた時点で秘匿を解除する選択を受けていないデータについて秘匿を解除するようにしてもよい。
【０１１６】
また、秘匿形態で表示したデータのうち、秘匿を解除しないデータの選択を受けることに代えて、秘匿を解除するデータの選択をユーザから受ける構成でもよい。この場合、たとえば、秘匿形態で表示してから一定時間が経過しても秘匿を解除する選択を受けていないデータ、あるいは選択終了の操作を受けた時点で選択されていないデータを消去するように構成すればよい。
【０１１７】
一部の範囲について秘匿を解除する秘匿解除ルールは、人物の顔のみ秘匿を維持し他の部分は秘匿を解除するといったルールに限定されない。たとえば、写真領域と文字領域が混在する画像のデータにおいて文字領域は秘匿を維持し写真領域は秘匿を解除する、あるいは、人の名前など特定の言葉については秘匿を維持し他の文字については秘匿を解除する、といった秘匿解除ルールなどでもよい。
【０１１８】
秘匿形態における視認の困難性を最初は高くし、時間の経過と共に視認の困難性を徐々に下げるようにしてもよい。たとえば、モザイク模様によって視認の困難性を得る場合など、そのモザイクの状態を時間の経過に従って変更する。データを送信した本人が、視認の困難性の高い秘匿形態による最初の表示でその内容がわからないような場合でも、次第に視認の困難性が低下するので、内容が分かった時点で秘匿の要否を判断することができる。
【０１１９】
実施の形態では、秘匿の要否を判断部６で判断するようにしたが、すべてのデータを一律に秘匿化するように構成されてもよい。
【０１２０】
実施の形態では、表示装置２０の表示部２２は携帯端末１０の表示部１２より大きい場合を例示したが、複数人で閲覧可能であれば表示装置２０の表示部２２の大きさは任意でよい。
【０１２１】
表示装置２０に対してデータを送信する端末は、携帯型の端末に限定されるものではない。
【符号の説明】
【０１２２】
３…表示システム
５…秘匿化部
６…判断部
７…秘匿解除部
１０…携帯端末
１１…制御部
１２…表示部
１３…データ保存部
１４…操作入力部
１５…通信部
２０…表示装置
２１…制御部
２２…表示部
２３…選択部
２４…通信部
【図２】
2015072539.tif 000003
【図３】
2015072539.tif 000004
【図５】
2015072539.tif 000005
【図６】
2015072539.tif 000006
【図７】
2015072539.tif 000007
【図９】
2015072539.tif 000008
【図１】
2015072539.tif 000009
【図４】
2015072539.tif 000010
【図８】
2015072539.tif 000011